(57)【要約】      （修正有）【課題】視覚的に魅力的な効果が、シューズの表面上に獲得され、多くのデザインの可能性を有するシューズを提供する。【解決手段】ヒール６を備えた少なくとも１つのアウトソール４およびアウトソールにつながっているアッパー２からなるシューズ１であって、シューズの魅力を高めるために、通常の日中のシューズおよび運動用シューズの両方に対して、少なくともアッパーの一部が、模様付きのレンチキュラーホイルおよび／または奥に画像が張り付いたレンチキュラーホイルを備える。【選択図】図１
0003227204.tif 000002
【実用新案登録請求の範囲】
【請求項１】
ヒール（６）を備えた少なくとも１つのアウトソール（４、２２、３２）と、前記アウトソール（４、２２、３２）とつながったアッパー（２、２１、３１）からなるシューズ（１）、特に運動用シューズ（２０、３０）であって、前記アッパー（２、２１、３１）の少なくとも一部は、模様付きのレンチキュラーホイルおよび／または奥で像が張り付いたレンチキュラーホイルを備えることを特徴とするシューズ（１）。
【請求項２】
前記レンチキュラーホイルは、前記アッパー（２、２１、３１）上の、少なくとも片側に、好ましくはシューズ（１）または運動用シューズ（２０、３０）の外側に配置されることを特徴とする、請求項１に記載のシューズ（１）。
【請求項３】
前記レンチキュラーホイルは、トゥキャップ、ヒールキャップ、または、前記シューズ（１）もしくは運動用シューズ（２０、３０）の外側後部に配置されることを特徴とする、請求項１または２に記載のシューズ（１）。
【請求項４】
前記レンチキュラーホイルは、前記アッパー（２、２１、３１）から前記フレーム（５）まで下方に延伸されることを特徴とする、請求項１、２、または３に記載のシューズ（１）。
【請求項５】
前記アッパー（２、２１、３１）および前記レンチキュラーホイルは、材料の接合および／または形状への嵌着によって互いにつながっていることを特徴とする、請求項１〜４のうちいずれか一項に記載のシューズ（１）。
【請求項６】
前記アッパー（２、２１、３１）および前記レンチキュラーホイルを、互いに直接接着するか、縫合するか、または溶着することを特徴とする、請求項１〜５のうちいずれか一項に記載のシューズ（１）。
【請求項７】
前記レンチキュラーホイルは、縁目材によって縁付けられることを特徴とする、請求項１〜６のうちいずれか一項に記載のシューズ（１）。
【請求項８】
裏面に前記像を備えた前記レンチキュラーホイルは、その裏面に紙繊維および／または布状の支持層によって積層されることを特徴とする、請求項１〜７のうちいずれか一項に記載のシューズ（１）。
【請求項９】
奥に張り付いた像を備えた前記レンチキュラーホイルの前記縁部は、縁付けられることを特徴とする、請求項１〜８のうちいずれか一項に記載のシューズ（１）。
【考案の詳細な説明】
【技術分野】
【０００１】
本発明は、ヒールを備えた少なくとも１つのアウトソールおよびアウトソールにつながっているアッパーからなるシューズに関する。
【背景技術】
【０００２】
シューズは、通常プラスチック材料からなる運動用シューズを除いて、レザーの材料でできている。レザーシューズは、２つの主構成要素、すなわち、互いにつながっているシューズシャフトおよびシューズボトムからなる。しかしながら、これらの２つの主構成要素は、順々にセットされる複数の個々の部分からなる。シューズの製造で使用される複数の構成要素を一目で把握することができないが、それらを調和した方法で組み合わせることで、結果としてシューズの最適なフィット性につながる。大部分の製造形態において、インソールは、ソックスとアウトソールとの間に配置され、シューズのすべての部分を共に保持する。通常、なめし革のライニングレザーが、シューズに裏張りをつけるために使用される。したがって、ライニングレザーは柔軟で高い通気性を備えていなければならない。ヒールキャップは、補強レザー部品として挿入されて、ライニングと外側のシャフトとの間の後部の接合に使用される。ヒールキャップは、シューズのヒールの延長部として機能して、したがってシューズの足元を保持する。アッパーレザーとライニングレザーとの間のトゥキャップは、簡潔な形状をシューズのつま先にもたらし、靴を外部の影響から保護する。外側のヒール部分または内側のヒール部分は、シューズの開口部を側面から囲んで、前部で靴ひもに適応する後部のシャフト部分として使用される。ヒールの縫い目上に縫合されるストラップは、バックストラップと呼ばれ、アッパーシャフト端縁部からラスティングマージンのカッティング縁部まで延在する。ここで、バックストラップは、ヒールのステッチを補強して、さらにシャフトのヒール部に補強を提供する。長手方向に延在するライニングの縫い目に位置するストラップは、内側ヒールステッチを保護して、シューズを履くことをより容易にする。例えば、多くの場合、男性用シューズに設けられるような支持構造体は、牛皮のストリップからなり、シャフト、インソール、およびソールを合わせて保持する。最下のソール層は、地面と直接接触することになり、ほとんどの場合、大部分は、特に耐摩耗性および防水性のあるなめし革である。しかしながら、ゴムまたはプラスチックのアウトソールを作ることが可能である。インソールは、トゥキャップからヒールまで厚いレザー層として敷かれて、アウトソールの上に位置する。常用のシューズにおいて、シャンクスプリングおよびカバーからなるシャンク部分は、インソールとアウトソールとの間に挿入され、ヒールの中心から前足部の先端まで延在し、このシャンク部分は、シューズ形状を維持し、足元を支持して案内するのに役立っている。シャンクスプリングは、フレームの中空空間に挿入される幅の広いスチールスプリング、および補強材としてヒールとボール部との間のインソールからなる。シャンクスプリングの形状は、シューズのソールの弧状部分の範囲内に適合するように構成され、歩く間に安定した足場を提供して、ヒールの揺れを防止する。ソックスは、インソールの足に面する側を覆う柔軟なレザーカバーであり、耐摩耗性、非変色性、および耐発汗性がある。取付け領域のための下部構造として、または、アウトソールの基礎として、２ｃｍの厚みを有するレザーストリップが、インソールおよびアウトソール上に釘着される。通常、このケダーは、フレーム付きシューズの場合に縫合される。アッパーまたはアッパーレザーは、シューズのシャフトからなるレザー、すなわち外側のシューズ表面である。ほとんどの場合、それはクロムなめしであり、牛皮のウォーキングブーツおよびマウンテンブーツの場合には、子牛の皮からなる。ここで、アッパーの色彩は、現在の流行に適合している。
【０００３】
女性用シューズの構造は、記載された個々の構成要素とは部分的に異なっており、特に女性用シューズでは、柔軟で薄いレザーが標準的に加工されている。アッパーレザーは装飾品を備えており、それは、金属、織物、またはシューズに縫合されるレザーからなる構成要素で構成されるレザーに取り付けられた部品であり得る。さらに、シューズの異なる形状は、選択されたヒールの高さに対応して変更し、設計され得て、特に冬および夏のシューズは、夏季の間ではむしろ軽量の変形形態が用いられるので、本質的には異なる。
【０００４】
ここで、シューズのデザインは、使用するレザー材料の色彩、および現在のファッション傾向によって決定したアクセサリの取り付けに制限される。さらなるデザインは公知ではない。
【０００５】
運動用シューズは、最も多様な目的のために、例えばサッカーシューズ、バスケットシューズ、またはスポーツのうち他の形状のシューズ、特にランニングシューズとして必要とされる。このような運動用シューズは、例えば、アッパー用の柔軟なレザーまたは合成材料で作られ得る。合成材料が使用される場合、これらは通常通気性のある布である。運動用シューズおいて、アウトソールは、使用する材料によって、通常重合させられるかまたは熱処理によってアッパーに接着される。使用目的に応じて、ここで、アウトソールは特別なインソールを含み得て、例えば、ランニング中に発生する衝撃を吸収するためのクッション付中央ソールを提供することができる。運動用シューズの耐久性を増加させるために、それらは、加えて、後部および前部領域において側部から縫合された材料を備え得る。
【考案の概要】
【考案が解決しようとする課題】
【０００６】
シューズ、特に、さらに光学的に魅力的な実施形態を特徴とする運動用シューズを提供することが本発明の目的である。
【課題を解決するための手段】
【０００７】
本発明によれば、目標を達成するために、少なくともアッパーの一部は、模様付きレンチキュラーホイルおよび／または奥で像が張り付けられたレンチキュラーホイルを備える。さらに本発明の有利な実施形態は、従属請求項から得ることができる。
【０００８】
シューズのアッパーの一部にレンチキュラーホイルを使用することにより、特別な注意をシューズに集め、異なるグラフィック表示に起因して、異なる写角から、シューズの外観が変化するので、それは、見物人のさらなる注意をひくことになる。
【０００９】
レンチキュラーホイルによって到達可能な光学効果は、例えば、３Ｄ効果、写真の奥行き画像、フリップ画像の表示、または滑らかなアニメーションの描写を通じた変化する画像からなる。ここで、前述の効果の組み合せも、勿論、可能である。３Ｄ効果の発生のために、例えば、写真は、風景シアターと全く同様に、個々の深さレベルに作成され、これから、レンチキュラーホイルの奥に配置される３Ｄ画像が作成される。対照的に、変化する画像またはアニメーションに対しては、２つまたはそれ以上の開始画像が、レンチキュラーホイルの裏面側に互いに隣接して交互に取付けられる細いストリップに分割される。ここで、通常、特殊なソフトウェアによって製作される画像は、レンチキュラーホイルの裏面側に配置される。ここで、レンチキュラーホイルの裏面側は、光学的に構築されたホイル側面、すなわちレンズを備えているホイル側面から向きがそれている側面、に対応する。光学効果の複雑性は、画像情報の基礎として撮られる画像の数によって増加し、レンチキュラーホイルの裏面側に模様を付けるか、または貼り付けられる。例えば、二相のフリップ画像に対しては、２つの画像の組み合わせですでに十分である。いくつかの画像を処理することによって、多相または完全な連続動作だけでなく、ズーミング効果またはモーフィング効果もまた表現され得る。ここで、本表現は、フリップブックと全く同様に、複数の単一画像からセットアップされ、単一画像は基本的に互いに滑らかに合わさる。ここで、好ましくは、４つの画像による４相アニメーションが使用される。画像を備えたレンチキュラーホイルおよび／またはシューズ上の後部に貼り付けられる画像を設計することによって、これらは特に光学的に強調され、したがって、いずれにせよ、見物人の注意をひく。したがって、このようなシューズによって、着用者は彼／彼女にとってどの種類のグラフィカルデザインが重要であるかを表現し得るか、または、彼／彼女が特定の製品に注意を与えることができる。好ましくは、本発明による形態のシューズは、イベント時に着用するために用いられ、シューズの着用者が、目下のイベントまたは特定の人の好みに注意を与えることができる。レンチキュラーホイルの奥に位置する画像のバリエーションは任意であり、例えばブンデスリーガクラブのスポーツイベントにおいてまたヨーロッパチャンピオンシップまたは世界選手権の期間中など、イベントの目的に対応して適応させて、特に、このような方法で、賞賛されたクラブ、運動選手、または映画イベント中の役者に注意を惹きつけ得る。
【００１０】
本発明の開発おいて、レンチキュラーホイルは、少なくとも片側に、好ましくは一対のシューズの外側のアッパーに配置される。レンチキュラーホイルはアッパーの完全な表面を覆う必要はなく、アッパーの個々の部分がレンチキュラーホイルを備え付けることでむしろ十分である。これは一対のシューズの外側であり得るが、勿論、内側にレンチキュラーホイルを提供することも可能であり、そのため、これらの側面は、ウォーキングの間、見物人に対して見えるようになる。さらに、レンチキュラーホイルが前部領域または後部領域のどちらかだけで、および、人が移動し始めるときにのみこれが時折見えるようになるように、トゥキャップ、ヒールキャップ、または外側の後部部分にレンチキュラーホイルを配置することが可能である。ここで、シューズのそれぞれの部分の選択は決定的であり、当然ながら、一度にいくつかの部分がレンチキュラーホイルによって覆われ得る。
【００１１】
基本的に、前部および後部または側部領域における前述の部分にレンチキュラーホイルを提供することがシューズおよび運動用シューズの両方で可能である。これは、完全なアッパーをレンチキュラーホイルで覆うことを除外しない。運動用シューズでは、レンチキュラーホイルを下部領域のアウトソールに埋め込むことが可能である。
【００１２】
概して、レンチキュラーホイルは、ソール領域で安全に固定可能なように、アッパーからフレームまで下方に延伸される。いずれの場合においても、一般的なアクセサリではある単一の全体としての印象を残すのみであるときに、レンチキュラーホイルの助けを借りることで、いくつかの像が目視方向に応じてシューズに形成され得て、シューズは、魅力的な衣服と組み合わせることで、対応する光学的印象を与えることができ、見物人のさらなる注目が獲得される。ここで、レンチキュラーホイルの奥に位置する像のバリエーションは任意であり、目的にしたがって構成され得て、グラフィックパターンだけでなく、特定のイベントの画像、または、有名人、特に運動選手もしくは役者の賞賛もまた使用され得る。ここで、表現の可能性は、選択されたシーンに対して無制限である。
【００１３】
ここで、好ましくは、アッパーおよびレンチキュラーホイルは、材料の接合によっておよび／または形状に嵌着することによって互いにつながっており、レンチキュラーホイルとアッパーとの間の接着、縫合、溶着部は前面にある。加えて、レンチキュラーホイルを縁目材によって縁付けることで、その強度を増加させるか、またはアッパーへの良好な接合を有することが可能となる。
【００１４】
本発明のさらなる開発において、裏面に像を備えたレンチキュラーホイルは、その後部側に紙繊維および／または布状の支持層によって積層されている。支持層は、なめし革に起因した損傷からレンチキュラーホイルの裏面側に施工される画像情報を保護するのに役立つ。レンチキュラーホイルの裏面側に施工される画像情報および保護層は、外部損傷、例えばひっかき傷から保護されるサンドイッチ構造を形成し、支持層はレンチキュラーホイルの寸法安定性を増加させる。支持層がレンチキュラーホイルより大きく設計されて、側面との接合のための縁部分として使用される突出部を備えることが大いにあり得る。
【００１５】
さらなる開発において、裏面に像を備えたレンチキュラーホイルの縁部を縁付けすることが可能である。縁付けによって、レンチキュラーホイルは、全表面にわたって、著しい補強および寸法安定性の向上を得ることになる。ここでは、縁付けられたレンチキュラーホイルの縁部の一部は、アッパーまたはアウトソールの接合領域に載置され、共に縫合されるかまたは接着され得る。
【００１６】
本発明の特徴は、シューズそれ自体が公知のもの、特に様々なデザインの運動用シューズが、部分領域においてレンチキュラーホイルによって覆われることで光学的再評価を得ることである。これは、外側、任意に内側でもあり得るが、トゥキャップ、ヒールキャップ、または外側の後部部分でもあり得る。本質的には、これらは、第三者に見えるシューズ部分であり、これらの領域−個々の領域であり得るが、いくつかの領域でもあり得る−におけるレンチキュラーホイルの使用は、結果として見物人の注目を増すことになる。これは、特に裏面に像を備えたレンチキュラーホイルに起因しており、それは二次元ならびに三次元のデザインを有し、特定のアイキャッチャーを提供する。裏面の像は、単純なまたは複雑なグラフィカルパターンからなり得えるが、景色、建物、または人物の画像からもなり得て、その中に、運動選手または他の著名人も表現し得る。
【００１７】
さらに、本発明を、図面を参照して以下に改めて図示する。
【図面の簡単な説明】
【００１８】
【図１】斜視図のシューズを示す。
【図２】部分断面図におけるシューズ構造を示す。
【図３】斜視図における、運動用シューズの単純な実施形態を示す。
【図４】側面図における、市販の運動用シューズを示す。
【考案を実施するための形態】
【００１９】
図１は、斜視図における男性用シューズ形態のシューズ１を示すが、それは変更されたデザインで製作される女性用シューズでもよい。シューズはアウトソール４に合わせてつながっているアッパー２およびインナーライニングレザー３からなる。アウトソール４は、図２で分かるような断面において、インナーインソールおよびアウトソール４とインソールとの間に配置したボトム充填材からなる。アッパー２は、アウトソール４に縫い付けられ、加えて、フレーム５は、アウトソールの上に周縁方向に配置される。シューズ１の後方領域において、アウトソールともつながっているヒール６があり、前方のトゥキャップ７は、より良好な成形のためにアッパー２の下側に位置する補強材を備え付け、ヒール領域８は、インナーライニング９および外側補強部１０を備える。ここで、すべてのアッパー、特にアッパー２は、縫い目１１を介して互いにつながっているが、アッパー２をアウトソール４に部分的に縫合し、部分的に接着もする。
【００２０】
ここで、シューズ１の様々な領域は、示されるように、アッパー２の下部領域１２に位置するレンチキュラーホイルを備え付け得る。一例として、図１は、形状に嵌着する状態でアッパー２にも縫合されるレンチキュラーホイルの配置を示すが、この場合、レンチキュラ−ホイルはシューズ１の外部領域における側部領域にのみ位置する。同じように、レンチキュラーホイルは、内側および外側領域に位置し得るか、または、前部部分全体を、トゥ７までレンチキュラーホイルで覆い得る。あるいは、レンチキュラーホイルでシューズ１の後部を覆い、この場合にはそれをアッパー２に縫合することもできる。
【００２１】
図２は、部分断面図におけるシューズ１の構造を示す。シューズ１はアッパー２およびアウトソール４からなる。アウトソール４の上に、ボトム充填材１３およびインソール１４が配置される。インソール１４とアウトソール４との間に、アッパー２は、縁部領域においてアウトソールに縫合され、および／または接着され、フレーム１５は、アッパー２とアウトソール４との間に補強支持を確立するようにアウトソール４の上に周縁方向に配置される。ここでは、図１に示されているように、前部領域および後部領域における様々な側部部分がレンチキュラーホイルで覆われ得て、レンチキュラーホイルは、アッパー２と共に形状に嵌着して縫合され、任意にはアウトソールと共に縫合される。
【００２２】
図３は、斜視図における市販のデザインの運動用シューズ２０を示す。運動用シューズ２０は、柔軟なレザーからなるアッパー２１、および周縁アッパー縁部２３を備えるアウトソール２２を有する。加えて、アッパー２１は、より負担の大きい競技の場合のために、側部、後部、および前部領域に拡張部を備えて、アウトソール２２より上の領域を補強する。拡張部２４は、例えば、アッパー２１の上に縫合されるかまたは接着されるレンチキュラーホイルからなり得る。あるいは、運動用シューズ２０のアッパー領域を、レンチキュラーホイルで覆うこともできる。この場合は、運動用シューズ２０は、設けられた目状部２６を通過する靴ひも２５を有するひもで結ばれたシューズである。靴ひも２５の代わりに、ベルクロ（登録商標）を使用することもできる。
【００２３】
図４は、２番目の図における運動用シューズ３０を再度示しており、この場合、例えばテニスシューズなどの典型的な形状を有し、さらにアッパー３１およびアウトソール３２からなっている。アウトソールは、アウトソール領域３２の弾性を増大させているリブ状の凹部３３を備えている。ヒール領域３４では、運動用シューズは上昇部３５を有することで、より良好な支持体をヒールに提供する。この運動用シューズ３０も、個々の目状部すなわち開口部３７を通過し得る靴ひも３６を備え付けている。さらに、運動用シューズ３０は、前部領域に、運動用シューズ３０を損傷から保護する拡張部３８を備えている。拡張部３８だけでなくアッパー３１も、レンチキュラーホイルで覆われ得る。ここで、アッパー３１の一部分のみを、好ましくは運動用シューズ３０の側部領域に配置するのは容易に可能である。
【符号の説明】
【００２４】
１  シューズ
２  アッパー
３  ライニングレザー
４  アウトソール
５  フレーム
６  ヒール
７  トゥキャップ
８  ヒール領域
９  インナーライニング
１０  外側補強部
１１  縫い目
１２  領域
１３  ボトム充填材
１４  インソール
１５  フレーム
２０  運動用シューズ
２１  アッパー
２２  アウトソール
２３  縁部
２４  拡張部
２５  靴ひも
２６  目状部
３０  運動用シューズ
３１  アッパー
３２  アウトソール
３３  凹部
３４  ヒール領域
３５  上昇部
３６  靴ひも
３７  開口部
３８  拡張部
【図１】
0003227204.tif 000003
【図２】
0003227204.tif 000004
【図３】
0003227204.tif 000005
【図４】
0003227204.tif 000006
【手続補正書】
【提出日】令和2年5月12日(2020.5.12)
【手続補正１】
【補正対象書類名】実用新案登録請求の範囲
【補正対象項目名】全文
【補正方法】変更
【補正の内容】
【実用新案登録請求の範囲】
【請求項１】
ヒール（６）を備えた少なくとも１つのアウトソール（４、２２、３２）と、前記アウトソール（４、２２、３２）とつながったアッパー（２、２１、３１）からなるシューズ（１）、特に運動用シューズ（２０、３０）であって、前記アッパー（２、２１、３１）の少なくとも一部は、模様付きのレンチキュラーホイルおよび／または奥で像が張り付いたレンチキュラーホイルを備えることを特徴とするシューズ（１）。
【請求項２】
前記レンチキュラーホイルは、前記アッパー（２、２１、３１）上の、少なくとも片側に、好ましくはシューズ（１）または運動用シューズ（２０、３０）の外側に配置されることを特徴とする、請求項１に記載のシューズ（１）。
【請求項３】
前記レンチキュラーホイルは、トゥキャップ、ヒールキャップ、または、前記シューズ（１）もしくは運動用シューズ（２０、３０）の外側後部に配置されることを特徴とする、請求項１または２に記載のシューズ（１）。
【請求項４】
前記レンチキュラーホイルは、前記アッパー（２、２１、３１）からフレーム（５）まで下方に延伸されることを特徴とする、請求項１、２、または３に記載のシューズ（１）。
【請求項５】
前記アッパー（２、２１、３１）および前記レンチキュラーホイルは、材料の接合および／または形状への嵌着によって互いにつながっていることを特徴とする、請求項１〜４のうちいずれか一項に記載のシューズ（１）。
【請求項６】
前記アッパー（２、２１、３１）および前記レンチキュラーホイルを、互いに直接接着するか、縫合するか、または溶着することを特徴とする、請求項１〜５のうちいずれか一項に記載のシューズ（１）。
【請求項７】
前記レンチキュラーホイルは、縁目材によって縁付けられることを特徴とする、請求項１〜６のうちいずれか一項に記載のシューズ（１）。
【請求項８】
裏面に前記像を備えた前記レンチキュラーホイルは、その裏面に紙繊維および／または布状の支持層によって積層されることを特徴とする、請求項１〜７のうちいずれか一項に記載のシューズ（１）。
【請求項９】
奥に張り付いた像を備えた前記レンチキュラーホイルの縁部は、縁付けられることを特徴とする、請求項１〜８のうちいずれか一項に記載のシューズ（１）。